(57)【要約】【課題】直流電流カット用のコンデンサが不要で簡単な構成のスピーカ駆動回路を提供する。【解決手段】ヘッドホン駆動回路１２のＤ級アンプ１２１Ｌと１２１Ｒとは、ステレオ信号の左チャネル信号Ｌ＋と右チャネル信号Ｒ＋を、バイアス電圧ＶＤＤ／２を振幅の中心とする信号ＡＬ＋とＡＲ＋とに増幅する。増幅信号ＡＬ＋とＡＲ＋は、ヘッドホン２０のスピーカコイル２１Ｌと２１Ｒの各一端に供給される。ヘッドホン駆動回路１２のＶＤＤ／２生成回路１２２は、Ｄ級アンプから構成され、バイアス電圧に等しい電圧ＶＤＤ／２を生成し、スピーカコイル２１Ｌと２１Ｒのそれぞれ他端に印加する。これにより、ヘッドホン２０のスピーカコイル２１Ｌ、２１Ｌに、増幅された左チャネル信号ＡＬ＋と右チャネル信号ＡＲ＋に含まれる直流成分の電位差が生じない。【選択図】図１
2007258970.tif 000002
【特許請求の範囲】
【請求項１】
所定の電源電圧で動作し、ステレオ信号の左チャネル信号を増幅して、所定の電源電圧の１／２のバイアス電圧を中心とする振幅を有する信号に増幅して出力する左チャネルＤ級アンプと、
所定の電源電圧で動作し、ステレオ信号の右チャネル信号を増幅して、所定の電源電圧の１／２のバイアス電圧を中心とする振幅を有する信号に増幅して出力する右チャネルＤ級アンプと、
所定の電源電圧で動作する基準電圧生成用Ｄ級アンプと、該基準電圧生成用Ｄ級アンプの入力信号として所定の電源電圧とグランド電圧とを繰り返し、デューティ比が５０％の信号から構成されるパルス信号を供給する手段と、を備え、所定の電源電圧の１／２のバイアス電圧を生成してアナロググランド電圧として出力する基準電圧生成回路と、
を備えるスピーカ駆動回路。
【請求項２】
さらに、３端子プラグが装着される３端子ジャックを備え、
前記左チャネルＤ級アンプの出力端子は、３端子ジャックの左チャネル端子に接続され、
前記右チャネルＤ級アンプの出力端子は、３端子ジャックの右チャネル端子に接続され、
前記基準電圧生成回路の出力端子は、３端子ジャックのグランド端子に接続されている、
ことを特徴とする請求項１に記載のスピーカ駆動回路。
【請求項３】
前記スピーカ駆動回路は、３端子プラグ用の機能と、４端子プラグ用の機能とを備えており、
前記基準電圧生成回路は、左チャネル用基準電圧生成回路と右チャネル用基準電圧生成回路とを備え、
前記左チャネル用基準電圧生成回路は、所定の電源電圧で動作する第１の基準電圧生成用Ｄ級アンプと、第１の該基準電圧生成用Ｄ級アンプの入力信号として、前記ステレオ信号の前記左チャネル信号の反対極性の信号と前記所定の電源電圧とグランド電圧とを繰り返し、デューティ比が５０％の信号との一方を選択的に前記第１の基準電圧生成用Ｄ級アンプに供給する手段と、を備え、
所定の電源電圧で動作する第２の基準電圧生成用Ｄ級アンプと、第２の該基準電圧生成用Ｄ級アンプの入力信号として、前記ステレオ信号の前記右チャネル信号の反対極性の信号と前記所定の電源電圧とグランド電圧とを繰り返し、デューティ比が５０％の信号との一方を選択的に前記第２の基準電圧生成用Ｄ級アンプに供給する手段と、を備える、
ことを特徴とする請求項１又は２に記載のスピーカ駆動回路。
【発明の詳細な説明】
【技術分野】
【０００１】
本発明は、音響機器におけるスピーカを駆動するための駆動回路に関し、特に、簡単な構成で且つ直流電流（ＤＣ）カット用のコンデンサを不要とするスピーカ駆動回路に関する。
【背景技術】
【０００２】
従来、ヘッドホンの駆動回路の出力段形式として、シングル出力段形式が一般的に利用されている。
例えば、シングル出力段形式でヘッドホンを駆動する場合、図５に示すように、音声信号を増幅するためのＤ級アンプの出力端子（左チャネルの信号用、右チャネルの信号用）と、ＧＮＤ（グラウンド）間にヘッドホンが接続される。このとき、ＧＮＤを、左チャネルの信号用と右チャネルの信号用で共通化できるため、一般的な３極式のプラグを有するヘッドホンと接続することが出来る。
【０００３】
しかし、シングル出力段形式におけるＤ級アンプは、入力端子に音声信号などによる電圧が供給されていないときは、（１／２）×ＶＤＤ［Ｖ］の電圧を出力する。ここで、入力端子に音声信号などによる電圧が供給されると、Ｄ級アンプは、この（１／２）×ＶＤＤ［Ｖ］の電圧を中心として、０［Ｖ］からＶＤＤ［Ｖ］の間の電圧を出力する。このとき、ヘッドホンに音声を出力させるには、（１／２）×ＶＤＤ［Ｖ］の電圧による直流電流をヘッドホンに流さないようにするためのカップリングコンデンサ（以下、ＤＣカット用カップリングコンデンサ、と呼ぶ）が必要である。
【０００４】
一方、カップリングコンデンサが不要で、且つ、ダイナミックレンジの大きい駆動方法として、図６に示すようなＢＴＬ（Balanced Transformer Less)出力段形式を用いた４端子形式の駆動方法も知られている。ただし、この場合には、特殊な４端子のプラグと、負極性の電源を用意しなければない。
【０００５】
また、３端子プラグと４端子プラグのいずれにも対応できるヘッドホン駆動回路が特許文献１に開示されている。この特許文献に開示されたヘッドホン駆動回路は、ステレオ信号の左チャネルの交流音声信号のＬ＋信号及びＬ−信号、右チャネルの交流音声信号のＲ＋信号及びＲ−信号の４つの信号を用いてヘッドホンを駆動する。３端子プラグがジャックに挿入されたときに、ヘッドホン駆動回路は、これを検出し、Ｌ＋信号、Ｒ＋信号の２つの信号を用いてヘッドホンを駆動する。このとき、Ｌ−信号とＲ−信号は共通のＧＮＤに流れる。これにより、３端子プラグを有するヘッドホンを駆動することが可能となる。
【０００６】
しかし、特許文献１に開示されたヘッドホンの駆動回路は、シングル出力段形式には適用できない。従って、シングル出力段形式で、３端子プラグを用いてヘッドホンを駆動するときに、ＤＣカット用カップリングコンデンサが必要となる。このＤＣカット用カップリングコンデンサをヘッドホンの駆動回路に用いることは、生産コストの面で大きな負担となっていた。
【０００７】
また、特許文献２には、ＤＣカット用カップリングコンデンサを除去できるヘッドホン駆動装置が開示されている。しかし、この文献に開示された回路では、ＰＷＭコントロール回路１及びスイッチング回路２の構成及び制御が複雑である。特に、直流電流成分をキャンセルするための基準電圧スイッチング回路３の正確な制御が困難である。また、外部から供給されるオーディオ信号をどのように左右両チャンネルの信号に変換するのか、特許文献２には開示されていない。また、特許文献２に開示された構成では、４端子プラグに対応することができない。
【特許文献１】特開平２−２５２４００号公報
【特許文献２】特開２００１−２２３５４５号公報
【発明の開示】
【発明が解決しようとする課題】
【０００８】
本発明は、上記実状に鑑みてなされたものであり、簡単な構成で、ＤＣカット用カップリングコンデンサを必要とせずに、３端子プラグを有するヘッドホンを駆動可能とするスピーカ駆動回路を提供することを目的とする。
また、本発明は、上記実状に鑑みてなされたものであり、簡単な構成で、３極式のプラグを有するヘッドホンと４端子プラグを有するヘッドホンのいずれをも駆動可能なスピーカ駆動回路を提供することを目的とする。
【課題を解決するための手段】
【０００９】
上記目的を達成するため、本発明の第１の観点に係る３端子プラグ用のスピーカ駆動回路は、
所定の電源電圧で動作し、ステレオ信号の左チャネル信号を増幅して、所定の電源電圧の１／２のバイアス電圧を中心とする振幅を有する信号に増幅して出力する左チャネルＤ級アンプと、
所定の電源電圧で動作し、ステレオ信号の右チャネル信号を増幅して、所定の電源電圧の１／２のバイアス電圧を中心とする振幅を有する信号に増幅して出力する右チャネルＤ級アンプと、
所定の電源電圧で動作する基準電圧生成用Ｄ級アンプと、該基準電圧生成用Ｄ級アンプの入力信号として所定の電源電圧とグランド電圧とを繰り返し、デューティ比が５０％の信号から構成されるパルス信号を供給する手段と、を備え、所定の電源電圧の１／２のバイアス電圧を生成してアナロググランド電圧として出力する基準電圧生成回路と、
を備えることを特徴とする。
【００１０】
３端子プラグが装着される３端子ジャックを配置し、前記左チャネルＤ級アンプの出力端子は、３端子ジャックの左チャネル端子に接続され、前記右チャネルＤ級アンプの出力端子は、３端子ジャックの右チャネル端子に接続され、前記基準電圧生成回路の出力端子は、３端子ジャックのグランド端子に接続されている、ように構成してもよい。
【００１１】
例えば、前記スピーカ駆動回路は、３端子プラグ用の機能と、４端子プラグ用の機能とを備えており、前記基準電圧生成回路は、左チャネル用基準電圧生成回路と右チャネル用基準電圧生成回路とを備え、前記左チャネル用基準電圧生成回路は、所定の電源電圧で動作する第１の基準電圧生成用Ｄ級アンプと、第１の該基準電圧生成用Ｄ級アンプの入力信号として、前記ステレオ信号の前記左チャネル信号の反対極性の信号と前記所定の電源電圧とグランド電圧とを繰り返し、デューティ比が５０％の信号との一方を選択的に前記第１の基準電圧生成用Ｄ級アンプに供給する手段と、を備え、所定の電源電圧で動作する第２の基準電圧生成用Ｄ級アンプと、第２の該基準電圧生成用Ｄ級アンプの入力信号として、前記ステレオ信号の前記右チャネル信号の反対極性の信号と前記所定の電源電圧とグランド電圧とを繰り返し、デューティ比が５０％の信号との一方を選択的に前記第２の基準電圧生成用Ｄ級アンプに供給する手段と、を配置してもよい。
【発明の効果】
【００１２】
請求項１のスピーカ駆動回路によれば、ＤＣカット用カップリングコンデンサを必要とせずに、Ｄ級アンプを用いた簡単な構成で３極式のプラグを有するスピーカを駆動することができる。
請求項３のスピーカ駆動回路によれば、３極式のプラグを有するスピーカにも、４極式のプラグを有するスピーカにも、対応することができる。
【発明を実施するための最良の形態】
【００１３】
以下、本発明の実施の形態に係る音響機器１０の基本構成について説明する。
音響機器１０は、ステレオ再生装置などから構成され、図１に示すように、音源回路１１と、ヘッドホン駆動回路１２と、３極プラグ端子１３とを備える。
【００１４】
音源回路１１は、例えば、記録媒体に記録されたオーディオ信号を再生して、左チャネル用オーディオ信号Ｌ＋と、右チャネル用オーディオ信号Ｒ＋とを出力する。これらのオーディオ信号Ｌ＋とＲ＋とは、電源電圧ＶＤＤと接地電圧ＧＮＤとの間の信号レベルを有するアナログ信号である。
【００１５】
ヘッドホン駆動回路１２は、例えば、ワンチップ化されており、音源回路１１から供給されたオーディオ信号を増幅して、音響機器１０に接続されているヘッドホン２０を駆動する。
【００１６】
具体的には、ヘッドホン駆動回路１２は、左チャネル用Ｄ級アンプ１２１Ｌと、右チャネル用Ｄ級アンプ１２１Ｒと、ＶＤＤ／２生成回路１２２とを備える。
【００１７】
左チャネル用Ｄ級アンプ１２１Ｌは、音源回路１１から入力端子１２３Ｌを介して供給される左チャネル用オーディオ信号Ｌ＋を増幅して、増幅信号をＡＬ＋を生成して出力端子１２４Ｌを介して出力する。
右チャネル用Ｄ級アンプ１２１Ｒは、音源回路１１から入力端子１２３Ｒを介して供給される右チャネル用オーディオ信号Ｒ＋を増幅して、増幅信号をＡＲ＋を生成して出力端子１２４Ｒを介して出力する。
左チャネル用Ｄ級アンプ１２１Ｌと右チャネル用Ｄ級アンプ１２１Ｒとの出力信号ＡＬ＋とＡＲ＋とは、電源電圧ＶＤＤの１／２の電圧ＶＤＤ／２をバイアス電圧として、このバイアス電圧を振幅の中心とし、グランドＧＮＤと電源電圧ＶＤＤとの間で振動するアナログ信号である。
【００１８】
ＶＤＤ／２生成回路１２２は、Ｄ級アンプから構成され、左チャネル用Ｄ級アンプ１２１Ｌと右チャネル用Ｄ級アンプ１２１Ｒのバイアス電圧と等しい基準電圧、即ち、電源電圧ＶＤＤの１／２の電圧ＶＤＤ／２を生成し、アナロググランド端子１２５を介して出力する。ＶＤＤ／２生成回路１２２の詳細な構成については、図２を参照して後述する。
【００１９】
ヘッドホンプラグジャック１３は、一般的な３極プラグ用ジャックであり、左チャネル用プラグ端子１３１Ｌと、右チャネル用プラグ端子１３１Ｒと、グランド端子１３１Ｇを備える。
左チャネル用プラグ端子１３１Ｌは左チャネル用出力端子１２４Ｌに接続されている。
右チャネル用プラグ端子１３１Ｒは右チャネル用出力端子１２４Ｒに接続されている。
グランド端子１３１Ｒはアナロググランド端子１２５に接続されている。
【００２０】
ヘッドホンプラグジャック１３に３極プラグが装着されると、左チャネル用プラグ端子１３１Ｌはヘッドホン２０の左スピーカのスピーカコイル２１Ｌの一端に接続され、右チャネル用プラグ端子１３１Ｒはヘッドホン２０の右スピーカのスピーカコイル２１Ｒの一端に接続され、グランド端子１３１Ｇは、左スピーカのスピーカコイル２１Ｌの他端と右スピーカのスピーカコイル２１Ｒの他端に接続される。
【００２１】
次に、上記構成のヘッドホン駆動回路１２の動作を説明する。
音源回路１１から出力された左チャネル用のオーディオ信号Ｌ＋と右チャネル用のオーディオ信号Ｒ＋とは、それぞれ、Ｌチャネル用Ｄ級アンプ１２１Ｌと、Ｒチャネル用Ｄ級アンプ１２１Ｒに供給される。
【００２２】
左チャネル用Ｄ級アンプ１２１Ｌは、オーディオ信号Ｌ＋を増幅し、ＶＤＤ／２を中心（アナロググランド）とするオーディオ信号ＡＬ＋を左スピーカのスピーカコイル２１Ｌの一端に供給する。一方、ＶＤＤ／２生成回路１２２は、固定電圧ＶＤＤ／２をスピーカコイル２１Ｌの他端に供給する。このため、直流的には、左スピーカコイル２１Ｌの両端の電圧が等しくなる。従って、スピーカコイル２１Ｌには、直流電圧成分による電流は流れず、交流信号成分による電流のみが流れ、左チャネルオーディオ信号に対応する音声が放音される。
【００２３】
同様に、右チャネル用Ｄ級アンプ１２１Ｒは、オーディオ信号Ｒ＋を増幅し、ＶＤＤ／２を中心（アナロググランド）とするオーディオ信号ＡＲ＋を右スピーカのスピーカコイル２１Ｒの一端に供給する。一方、ＶＤＤ／２生成回路１２２は、固定電圧ＶＤＤ／２を右スピーカコイル２１Ｒの他端に供給する。このため、直流的には、右スピーカコイル２１Ｒの両端の電圧が等しくなる。従って、スピーカコイル２１Ｒには、直流電圧成分による電流は流れず、交流信号成分による電流のみが流れ、右チャネルオーディオ信号に対応する音声が放音される。
【００２４】
このようにして、図１に示す基本構成を採用することにより、カップリングコンデンサを設けない構成でありながら、シングル出力段形式で３端子式のプラグを備えるスピーカを駆動することができる。
【００２５】
次に、上述したＶＤＤ／２生成回路１２２の詳細な構成について説明する。
図２（ａ）に示すように、ＶＤＤ／２生成回路１２２は、一般的なＤ級アンプと同様の構成を有する。即ち、ＶＤＤ／２生成回路１２２は、クロック信号生成回路２０１と、三角波生成回路２０２と、コンパレータ２０３と、平滑化回路２０４とを備える。
【００２６】
クロック信号生成回路２０１は、一定周期のクロック信号ＣＬ１を生成する。三角波生成回路２０２は、クロック信号ＣＬ１に応答して、三角波信号を生成し、コンパレータ２０３の反転入力端子（−）に供給する。コンパレータ２０３は、三角波生成回路２０２からの三角波信号の電圧と入力信号の電圧とを比較し、入力信号の電圧が高ければハイレベルの電圧（ほぼ電源電圧ＶＤＤ）を出力し、入力信号の電圧が低ければ、ローレベルの電圧（ほぼグランド電圧）を出力する。
【００２７】
平滑化回路２０４は、コンパレータ２０３の出力するローパスフィルタなどを備え、パルス電圧を平滑化する。
【００２８】
このような構成において、入力信号として、ローレベルがグランドレベルで、ハイレベルが電源電圧レベル（ＶＤＤ）のデューティ比が５０％の信号を入力すると、入力信号がハイレベルの期間は、入力信号の電圧が三角波信号の電圧より高くなり、入力信号がローレベルの期間は、入力信号の電圧が三角波信号の電圧より低くなる。このため、コンパレータ２０３の出力信号のデューティ比も５０％となり、平滑化回路２０４の出力電圧は、ＶＤＤ／２となる。
【００２９】
このような構成により、Ｄ級アンプを用いて、左右両チャネルの増幅回路１２１Ｌ及び１２１Ｒと、ＶＤＤ／２生成回路１２２を簡単な構造で、シングル出力段形式で、構成することが可能となる。
【００３０】
図２（ａ）の構成では、外部からデューティ比が５０％の信号を供給したが、図２（ｂ）に示す構成により、デューティ比が５０％の信号ＣＬ２をクロック信号生成回路２０１で生成して、コンパレータ２０３の非反転入力端子（＋）に供給してもよい。なお、この構成の場合、信号ＣＬ２のローレベルは三角波生成回路２０２が生成する三角波信号のいずれの電圧よりも低く、信号ＣＬ２のハイレベルは三角波生成回路２０２が生成する三角波信号のいずれの電圧よりも高く設定することが望ましい。
【００３１】
この構成によれば、外部から信号を供給することなく、基準電圧（ＶＤＤ／２）を生成することができる。
【００３２】
（第２の実施の形態）
上記実施の形態では、３端子プラグ専用のヘッドホン駆動回路１２を示したが、３端子プラグと４端子プラグ共用の回路構成とすることも可能である。以下、このような構成のヘッドホン駆動回路３１について図３と図４を参照して説明する。
【００３３】
図３と図４に示すように、本実施形態のヘッドホン駆動回路３１は、左チャネル用Ｄ級アンプ３２Ｌと、右チャネル用Ｄ級アンプ３２Ｒと、第１の基準電圧生成回路３３と、第２の基準電圧生成回路３４と、スイッチＳＷＧとから構成される。
【００３４】
左チャネル用Ｄ級アンプ３２Ｌは、音源回路１１からの左チャネルオーディオ信号Ｌ＋を増幅して電圧ＶＤＤ／２を振幅の中心とする増幅信号ＡＬ＋を出力する。
右チャネル用Ｄ級アンプ３２Ｒは、音源回路１１からの右チャネルオーディオ信号Ｒ＋を増幅して電圧ＶＤＤ／２を振幅の中心とする増幅信号ＡＲ＋を出力する。
【００３５】
第１の基準電圧生成回路３３は、クロック生成回路４１、三角波生成回路４２，コンパレータ４３，平滑化回路４４と、スイッチＳＷ１を備える。第１の基準電圧生成回路３３は、スイッチＳＷ１がクロック生成回路４１の出力端とコンパレータ４３の非反転入力端子（＋）を接続したときには、図２（ｂ）に示す回路と同様に動作して、ＶＤＤ／２の電圧を出力する。また、第１の基準電圧生成回路３３は、スイッチＳＷ１が音源回路からの左チャネルオーディオ信号Ｌ−を選択したときには、左チャネルオーディオ信号Ｌ−を増幅して、電圧ＶＤＤ／２を振幅の中心とする増幅信号ＡＬ−を出力する。なお、オーディオ信号Ｌ＋とＬ−とは、位相が反転した関係にある。
【００３６】
第２の基準電圧生成回路３４は、クロック生成回路５１、三角波生成回路５２，コンパレータ５３，平滑化回路５４と、スイッチＳＷ２を備える。第２の基準電圧生成回路３４は、スイッチＳＷ２がクロック生成回路５１の出力端とコンパレータ５３の非反転入力端子（＋）を接続したときには、図２（ｂ）に示す回路と同様に動作して、ＶＤＤ／２の電圧を出力する。また、第２の基準電圧生成回路３４は、スイッチＳＷ２が音源回路からの右チャネルオーディオ信号Ｒ−を選択したときには、右チャネルオーディオ信号Ｒ−を増幅して、電圧ＶＤＤ／２を振幅の中心とする増幅信号ＡＲ−を出力する。なお、オーディオ信号Ｒ＋とＲ−とは、位相が反転した関係にある。
【００３７】
次に、上記構成のヘッドホン駆動回路３１の動作について説明する。
【００３８】
まず、このヘッドホン駆動回路３１を、シングル出力段形式で動作させる場合には、図３に示すように、音源回路１１は、左チャネルオーディオ信号Ｌ＋と右チャネルオーディオ信号Ｒ＋とを、Ｄ級アンプ１２１Ｌと１２１Ｒにそれぞれ出力する。
スイッチＳＷ１は、クロック生成回路４１の出力する５０％デューティの信号をコンパレータ４３の非反転入力端子（＋）に供給し、スイッチＳＷ２は、クロック生成回路５１の出力する５０％デューティの信号をコンパレータ５３の非反転入力端子（＋）に供給する。また、スイッチＳＷＧは、オンされ、平滑化回路４４の出力端と平滑化回路５４の出力端とを短絡する。
３端子ジャックの左チャネル用端子が、Ｄ級アンプ３２Ｌの出力端に接続され、３端子ジャックの右チャネル用端子が、Ｄ級アンプ３２Ｒの出力端に接続され、３端子ジャックのグランド端子が、平滑化回路４４と５４の出力端に共通に接続される。
この３端子ジャックにヘッドホン２０の３端子プラグが装着されると、左スピーカのスピーカコイル２１Ｌの両端に増幅信号ＡＬ＋とＶＤＤ／２が印加され、右スピーカのスピーカコイル２１Ｒの両端に増幅信号ＡＲ＋とＶＤＤ／２が印加される。従って、スピーカコイル２１Ｌと２１Ｒの両端には、同一の直流電圧が印加され、スピーカコイル２１Ｌと２１Ｒには、交流信号成分に対応する電流のみが流れ、オーディオ信号が放音される。
【００３９】
次に、このヘッドホン駆動回路３１を、ＢＴＬ出力段形式で動作させる場合には、図４に示すように、音源回路１１は、左チャネルオーディオ信号Ｌ＋とＬ−をＤ級アンプ３２Ｌと第１の基準電圧生成回路３３にそれぞれ出力する。
音源回路１１は、同様に、右チャネルオーディオ信号Ｒ＋とＲ−をＤ級アンプ３２Ｒと第２の基準電圧生成回路３４にそれぞれ出力する。
【００４０】
スイッチＳＷ１は、音源回路１１からの左チャネルオーディオ信号Ｌ−を選択して、コンパレータ４３に出力する。
スイッチＳＷ２は、音源回路１１からの右チャネルオーディオ信号Ｒ−を選択して、コンパレータ５３に出力する。
また、スイッチＳＷＧは、オフされ、平滑化回路４４の出力端と平滑化回路５４の出力端とは電気的に絶縁される。
【００４１】
これにより、Ｄ級アンプ３２Ｌより、増幅された左チャネルオーディオ信号ＡＬ＋が出力され、第１の基準電圧生成回路３３より、増幅された左チャネルオーディオ信号ＡＬ−が出力され、Ｄ級アンプ３２Ｒより、増幅された右チャネルオーディオ信号ＡＲ＋が出力され、第２の基準電圧生成回路３４より、増幅された右チャネルオーディオ信号ＡＲ−が出力される。
【００４２】
４端子ジャックの左チャネル＋用端子が、Ｄ級アンプ３２Ｌの出力端に接続され、４端子ジャックの左チャネル−用端子が第１の基準電圧生成回路３３の出力端に接続され、４端子ジャックの右チャネル＋用端子が、Ｄ級アンプ３２Ｒの出力端に接続され、４端子ジャックの右チャネル−用端子が第２の基準電圧生成回路３４の出力端に接続される。
【００４３】
この４端子ジャックにヘッドホン２０の４端子プラグが装着されると、左スピーカのスピーカコイル２１Ｌの両端に増幅信号ＡＬ＋とＡＬ−が印加され、右スピーカのスピーカコイル２１Ｒの両端に増幅信号ＡＲ＋とＡＲ−が印加される。従って、スピーカコイル２１Ｌと２１Ｒの両端には、同一の直流電圧が印加され、スピーカコイル２１Ｌと２１Ｒには、交流信号成分に対応する電流のみが流れ、オーディオ信号が放音される。
【００４４】
このヘッドホン駆動回路３１のスイッチＳＷ１，ＳＷ２、ＳＷＧを、例えば、出荷時などに、図３の状態又は図４の状態に固定してもよい。
【００４５】
この発明は上記実施の形態に限定されず、種々の変形及び応用が可能である。
【００４６】
例えば、上記実施の形態では、電源電圧をＶＤＤとし、Ｄ級アンプの出力信号のバイアス成分がＶＤＤ／２であるとして説明したが、電圧降下などにより、Ｄ級アンプの出力バイアス電圧がＶＤＤ／２より低下するような場合には、それにあわせて基準電圧生成回路の出力する基準電圧を調整する。
【００４７】
また、駆動の対象として、ヘッドホンを例示したが、一般のスピーカでもよい。
【図面の簡単な説明】
【００４８】
【図１】本発明の実施形態に係るヘッドホン駆動回路の基本構成を示す図である。
【図２】図１に示すＶＤＤ／２生成回路の構成例を示す図である。
【図３】本発明のヘッドホン駆動回路の他の実施形態を示す図である。
【図４】本発明のヘッドホン駆動回路の他の実施形態を示す図である。
【図５】従来技術のヘッドホン駆動回路を説明するための図である。
【図６】従来技術のヘッドホン駆動回路を説明するための図である。
【符号の説明】
【００４９】
１０    音響機器
１１    音源回路
１２    ヘッドホン駆動回路
２０    ヘッドホン
【図１】
2007258970.tif 000003
【図２】
2007258970.tif 000004
【図３】
2007258970.tif 000005
【図４】
2007258970.tif 000006
【図５】
2007258970.tif 000007
【図６】
2007258970.tif 000008